(57)【要約】【課題】  ボールジョイントで接続するＰＯＰパーツを異なる態様でも使用できるようにする。【解決手段】  軸線方向に沿って、その一端側に雄型ボールジョイントとなる球状凸部が設けられるとともに、他端側にＰＯＰ表現のための機能を発揮させる機能実現部が設けられ、球状凸部は雌型ボールジョイントとなる球状凹部を有する他のＰＯＰパーツと嵌合可能なＰＯＰパーツであって、雄型ボールジョイントの球状凸部には、軸線方向と直交する方向の貫通孔を形成してロッド等を使用したＰＯＰ表示を可能にする。【選択図】図１
2020160332.tif 000002
【特許請求の範囲】
【請求項１】
軸線方向に沿って、その一端側に雄型ボールジョイントとなる球状凸部が設けられるとともに、他端側にＰＯＰ表現のための機能を発揮させる機能実現部が設けられ、前記球状凸部は雌型ボールジョイントとなる球状凹部を有する他のＰＯＰパーツと嵌合可能なＰＯＰパーツであって、
前記雄型ボールジョイントの球状凸部には、前記軸線方向と直交する方向の貫通孔が形成されていることを特徴とするＰＯＰパーツ。
【請求項２】
前記機能実現部が前記軸線方向に沿って延設される中空パイプからなる請求項１に記載のＰＯＰパーツ。
【請求項３】
前記機能実現部がスタンド内にマグネットを内蔵するマグネットスタンドである請求項１に記載のＰＯＰパーツ。
【発明の詳細な説明】
【技術分野】
【０００１】
本発明は、店舗等での販売促進用のＰＯＰ用品に用いられるＰＯＰパーツに関し、特に、ボールジョイントとして接続する球状の凸部を備えたＰＯＰパーツに関する。
【背景技術】
【０００２】
店舗等で商品やサービスを広告、宣伝、展示する際に種々のＰＯＰ用品が用いられている。汎用されているＰＯＰ用品には、カードホルダやミニのぼり等の訴求表示を行うための表示部が、スタンド、クリップ、マグネット等で陳列台等に固定するための支持部で支えられるようにして使用されるものがある。
例えば図１０に示すミニのぼり１００は、支持部となるスタンド１０１と、表示部となるのぼり旗１０２、および、旗竿（ロッド）１０３，１０４等からなるＰＯＰ用品であり陳列台等に載せて使用される。
【０００３】
また、ＰＯＰ用品では、支持部に対し表示部の向きや角度を変更可能に保持するために、また、必要に応じて支持部から表示部までの長さを調整できるようにするために、支持部と表示部との中間部に、球状凸部と球状凹部とが嵌合するボールジョイントを介在させて、複数のＰＯＰパーツ（部品）に分割し、これら複数のＰＯＰパーツを任意に組み合わせて全体で１つのＰＯＰ用品（完成品）として使用することもなされている（特許文献１、２参照）。
【０００４】
例えば特許文献１の図１に記載の「表示具」では、表示部となる「先端部材」と、支持部となる「取付部材」と、中間部として雌型ボールジョイントとなる球状凹部を２つ有する「嵌合連絡部材」と、中間部として雄型ボールジョイントとなる球状凸部を２つ有する「嵌入連絡部材」との４種類のＰＯＰパーツ（部品）が用いられていて、これらが組み合わされて１つの「表示具」として使用されるようにしてある。この「表示具」では「先端部材」および「嵌入連絡部材」に球状凸部が形成され、「取付部材」および「嵌合連絡部材」に球状凹部が形成され、「嵌入連絡部材」と「嵌合連絡部材」との個数を増減することができ、これにより「先端部材」と「取付部材」との距離や位置や向きが自由に調整できる。
【０００５】
特許文献２の図１に記載の「物品支持装置」についても同様であり、表示部となる「物品固定部」と、支持部となる「基部」と、中間部としてジョイント部（ボールジョイント）を構成する「物品姿勢変更部」とを備えていて、これらが組み合わされて１つの「物品支持装置」として使用されるようにしてある。
【０００６】
このように、ボールジョイントで嵌合させるＰＯＰパーツでは、嵌合方向となる軸線方向を有し、その軸線の少なくとも一端側に、規格化された寸法を有する雄型ボールジョイントである球状凸部又は雌型ボールジョイントである球状凹部のいずれかがジョイント部として設けられており、軸線方向に雄型ボールジョイントと雌型ボールジョイントとが挿脱できるようにしてある。雄型ボールジョイント又は雌型ボールジョイントの他端側には、それぞれのＰＯＰパーツが分担する支持部、表示部、中間部のいずれかのＰＯＰ表現のための機能を発揮させる機能実現部が一体に延設されている。
【０００７】
具体的には、機能実現部が支持部としての機能を実現させるＰＯＰパーツではスタンド、クリップ、マグネット等の支持用パーツが設けられている。表示部としての機能を実現させるＰＯＰパーツではロッド（例えばミニのぼりでの旗を取り付ける旗竿）、カードホルダ（例えば特許文献１の先端部材におけるクリップ体）、マグネット板（例えば特許文献２の物品固定部）等の表示用パーツが設けられている。中間部としての機能の実現させるＰＯＰ用具では、他端側にも雄型ボールジョイントである球状凸部又は雌型ボールジョイントである球状凹部が接続用パーツとして設けられている（例えば特許文献１の嵌合連絡部材、嵌入連絡部材）。
【先行技術文献】
【特許文献】
【０００８】
【特許文献１】実開平６−３６０８３号公報
【特許文献２】特開２００７−１１１３４４号公報
【発明の概要】
【発明が解決しようとする課題】
【０００９】
ＰＯＰパーツのジョイント部どうしを接続してＰＯＰ用品（完成品）に組み立てて使用するＰＯＰパーツは、これまで雄型ボールジョイントの球状凸部と雌型ボールジョイントの球状凹部とを単に嵌合接続させて使用するだけであり使用態様が限られていた。
【００１０】
本発明はボールジョイントで接続するＰＯＰパーツでありながら、本来の機能であるボールジョイントとして接続する使用態様だけではなく、異なる態様でも使用できるようにしてＰＯＰパーツしての汎用性を高めることにより、新たな訴求表現（ＰＯＰ表示）ができるようにしたり、利便性のよいボールジョイント付きのＰＯＰパーツを提供したりすることを目的とする。
【課題を解決するための手段】
【００１１】
上記課題を解決するためになされた本発明のボールジョイント付きＰＯＰパーツは、
軸線方向に沿って、その一端側に雄型ボールジョイントとなる球状凸部が設けられるとともに、他端側にＰＯＰ表現のための機能を発揮させる機能実現部が設けられ、前記球状凸部は雌型ボールジョイントとなる球状凹部を有する他のＰＯＰパーツと嵌合可能なＰＯＰパーツであって、
前記雄型ボールジョイントの球状凸部には、前記軸線方向と直交する方向の貫通孔が形成してある。
【発明の効果】
【００１２】
本発明によれば、雄型ボールジョイントの球状凸部に形成された貫通孔にロッドや紐や二重リングのような別のパーツを通すことでこれらを使用したＰＯＰ表現が可能になり、雌型ボールジョイントに嵌合させてボールジョイントとして接続する通常の使用態様以外に、雄型ジョイント単独でロッド、紐、二重リングのような別パーツを用いた多種多様なＰＯＰ表現を実現することができるようになる。
【００１３】
前記機能実現部が前記軸線方向に沿って延設される中空パイプであってもよい。これにより、中空パイプにロッドを挿入するとともに貫通孔にロッドを挿入することで互いに直交する２本のロッドを接続できるようになり、例えばミニのぼりの旗竿の上端に取り付けてのぼり旗を吊るす際のエンドジョイントとして用いることができるようになる。
【００１４】
前記機能実現部がスタンド内にマグネットを内蔵するマグネットスタンドであってもよい。このようなマグネットスタンドを、２つ間隔を開けて配置し、それぞれの貫通孔にロッドを通して暖簾棒として用いることができるようになる。
【図面の簡単な説明】
【００１５】
【図１】本発明の一実施形態であるエンドジョイントとして使用可能なＰＯＰパーツの構成および使用態様を示す分解図である。
【図２】図１のＰＯＰパーツをボールジョイントとして使用する使用態様を示す分解図である。
【図３】図１のＰＯＰパーツを用いて組み立てた「ミニのぼり」の構成を示す図である。
【図４】図１のＰＯＰパーツで組み立てた他の使用態様を示す図である。
【図５】本発明の他の一実施形態のＰＯＰパーツであるマグネットジョイントの構成を示す図である。
【図６】図５のマグネットジョイントを暖簾として使用するときの使用態様を示す図である。
【図７】本発明の他の一実施形態のＰＯＰパーツであるジョイント付きクリップ体を示す図である。
【図８】本発明の他の一実施形態のＰＯＰパーツであるジョイント付きカードホルダを示す図である。
【図９】本発明の他の一実施形態の施形態のＰＯＰパーツであるダブル雄型ボールジョイントを示す図である。
【図１０】従来から使用されているＰＯＰ用品である「ミニのぼり」の構成を示す図である。
【発明を実施するための形態】
【００１６】
以下、本発明のＰＯＰパーツについて図面に基づいて説明する。本発明のＰＯＰパーツは、ＡＢＳ樹脂、ＰＥＴ（ポリエチレンテレフタラート）、ポリカーボネート、アクリル、ポリオキシメチレン等の合成樹脂材を素材として射出成型等によって製造することができる。
【００１７】
（エンドジョイント型ＰＯＰパーツ）
図１、図２、図３は、本発明の一実施形態であって「ミニのぼり」での旗竿（ロッド）の先端に装着するＰＯＰパーツ（エンドジョイントと称する）として、またボールジョイントとして使用可能なＰＯＰパーツの構成を示す図であり、図１はエンドジョイントとして使用する態様を示す分解図であり、図２はボールジョイントとして使用する態様を示す分解図であり、図３は「ミニのぼり」として組み立てた図である。
【００１８】
図１に示すように、エンドジョイント１０（Ａ）は、球体１１と、球体１１の軸線Ｘに沿って外周面（球面）から一方向に延びる中空パイプ１２とが一体成形された形状をしている。球体１１にはその軸線Ｘ方向と直交する方向に貫通孔１３が設けてあり、中空パイプ１２にロッド１４、貫通孔１３にロッド１５を嵌挿することができるようにしてある。
【００１９】
また、図２に示すようにエンドジョイント１０（Ｂ）をボールジョイントとして使用する場合は、球状凸部が一体成形された支持用ＰＯＰパーツであるスタンドジョイント２１と、雌型ボールジョイントとなる球状凹部が両端に設けられた接続用ＰＯＰパーツであるダブル雌型接続ジョイント２２とを用いる。
すなわち、スタンドジョイント２１の球状凸部に対し、その（嵌合方向となる）軸線Ｘに沿ってダブル雌型接続ジョイント２２を取り付けるとともに、ダブル雌型接続ジョイント２２の他方の球状凹部に対し、エンドジョイント１０（Ｂ）も（嵌合方向となる）軸線Ｘに沿って取り付ける。なおエンドジョイント１０（Ｂ）の球体１１は雄型ボールジョイントとして、ダブル雌型接続ジョイント２２の球状凹部（例えば球径７ｍｍ）に嵌合できるように、その球径寸法も同径に規格化されている。この使用態様のときは中空パイプ１２のみにロッド１４を嵌挿して使用する。
【００２０】
これにより、図３に示すように同形の２つのエンドジョイント１０（Ａ）、１０（Ｂ）を別々の態様で使用し、ロッド１４、ロッド１５にのぼり旗１６を吊るすことにより、ＰＯＰ用品（完成品）としてのミニのぼりが形成される。
【００２１】
また、図４は上述したエンドジョイント１０を多数個用いて組み立てたツリー状スタンドを示す図である。このツリー状スタンドはスタンドジョイント２１、ダブル雌型接続ジョイント２２、複数のエンドジョイント１０、枝となる複数のロッド１４、幹となるロッド１５からなるＰＯＰパーツによって構成される。
【００２２】
ダブル雌型ジョイント２２に接続されるエンドジョイント１０（Ｂ）は、雄型ボールジョイント本来の使用態様で使用され、他のエンドジョイント１０（Ａ）は、幹となるロッド１５から枝となるロッド１４を分岐させるために使用され、ロッド１４およびロッド１５の末端をエンドジョイント１０（Ａ）の球体１１で丸くするために使用される。このようにエンドジョイント１０を異なる態様で使用することで新たな訴求表現（ＰＯＰ表示）ができるようになる。
【００２３】
（マグネットジョイント型パーツ）
図５は本発明の他の一実施形態であるマグネットジョイント３０の構成を示す図である。マグネットジョイント３０は、ベースブロック３１の上面中央に雄型ボールジョイントとなる球体３２が一体成形された支持用ＰＯＰパーツである。ベース３１の下面側には磁石３３が内蔵されており、鉄壁等に磁着できるようにしてある。球体３２には嵌合方向となる軸線Ｘと直交する方向に貫通孔３４が形成され、貫通孔３４にロッド３５を挿入することができるようにしてある。
マグネットジョイント３０の球体３２をボールジョイントとして使用する場合は、図２で説明したスタンドジョイント２１と同様に、例えばダブル雌型ジョイント２２を接続して使用することができるものであり説明を省略する。
【００２４】
一方、図６は、表示部としての「暖簾」を支持するために、マグネットジョイント３０を支持用パーツとして使用する態様を示す図である。
２つのマグネットジョイント３０が鉄製の壁面Ｗ（天井あるいは側壁）に、間隔を開けて磁着され、それぞれの貫通孔３４に１本のロッド１４の両端近傍を嵌挿するようにして「暖簾棒」とし、これに暖簾３５を吊り下げるようにして使用する。
【００２５】
以上、実施例について説明したが、本発明は上記のＰＯＰパーツに限られず、雄型ボールジョイントを有する従来からの種々のＰＯＰパーツに適用できる。例えば図７に示すようなジョイント付きクリップ体４１、図８に示すようなジョイント付きカードホルダ４２、図９に示すようなダブル雄型ボールジョイント４３にも使用することができる。
また、上記実施形態では貫通孔にロッドを挿入するＰＯＰ表現を示したが、パーツによっては紐や二重リングを通して使用することもできる。
【産業上の利用可能性】
【００２６】
本発明は、雄型ボールジョイントとして接続する球状の凸部を備えたＰＯＰパーツに好適に利用できる。
【符号の説明】
【００２７】
１０  エンドジョイント
１１  球体
１２  中空パイプ
１３  貫通孔
１４  長ロッド
１５  短ロッド
１６  のぼり旗
２１  スタントジョイント
２２  ダブル雌型接続ジョイント
３０  マグネットジョイント
３１  ベースブロック
３２  球体
３３  マグネット
３４  貫通孔
３５  暖簾
４１  ジョイント付きクリップ体
４２  ジョイント付きカードホルダ
４３  ダブル雄型ボールジョイント
【図１】
2020160332.tif 000003
【図２】
2020160332.tif 000004
【図３】
2020160332.tif 000005
【図４】
2020160332.tif 000006
【図５】
2020160332.tif 000007
【図６】
2020160332.tif 000008
【図７】
2020160332.tif 000009
【図８】
2020160332.tif 000010
【図９】
2020160332.tif 000011
【図１０】
2020160332.tif 000012